(57)【要約】  ケア項目の入力の負担が軽減される技術を提供する。介護者が使用する情報通信端末が実行する処理は、メニュー画面を表示するステップ（Ｓ７１０）と、入居者を選択する画面を表示するステップ（Ｓ７１５）と、入居者を入力するモードの指定を受け付けるステップ（Ｓ７２０）と、介護記録を構成する各ケア項目の選択を受け付けるステップ（Ｓ７２５）と、各ケア項目の具体的な内容の入力を受け付ける画面を表示するステップ（Ｓ７３０）と、具体的な内容の入力を受け付ける入力モードの選択を受け付けるステップ（Ｓ７３５）と、ケア項目の送信指示の入力を受け付けるステップ（Ｓ７４０）と、介護記録をクラウドサーバーに送信するステップ（Ｓ７４５）と、入力モードに応じて、介護記録の送信内容を表示するステップ（Ｓ７５０）と、送信内容を確認した旨の入力を受け付けるステップ（Ｓ７５５）とを含む。
2020137057.tif 000002
【特許請求の範囲】
【請求項１】
情報記録装置と通信可能なコンピュータが実行する情報入力方法であって、
複数の入居者の識別情報を表示するステップと、
情報の記録の対象となる複数の入居者の選択を受け付けるステップと、
選択された複数の入居者の各々に関連付けて記録される１つ以上の項目の選択の入力を受け付けるステップと、
前記選択された１つ以上の項目の登録モードとして、選択された複数の入居者の各々について個別に登録する第１のモードと、選択された複数の入居者について一括して登録する第２のモードとのいずれかの選択を受け付けるステップと、
選択されたモードで、前記選択された１つ以上の項目を前記情報記録装置に送信するステップとを含む、情報入力方法。
【請求項２】
前記表示するステップは、前記複数の入居者のいずれかが他の入居者よりも優先して扱われることを示す優先度を、当該入居者に関連付けて表示することを含み、
前記項目の選択の入力を受け付けるステップは、前記優先度が付された一人以上の入居者の選択を受け付けることを含む、請求項１に記載の情報入力方法。
【請求項３】
前記第１のモードが選択されている場合に、選択された複数の入居者のうちの、前記１つ以上の項目の入力が行なわれている入居者を表示するステップをさらに含む、請求項１または２に記載の情報入力方法。
【請求項４】
前記１つ以上の項目が前記情報記録装置に送信された後に、当該１つ以上の項目の送信が完了した入居者の名前を表示するステップをさらに含む、請求項３に記載の情報入力方法。
【請求項５】
前記第１のモードが選択されている場合に、選択された複数の入居者の数に応じた画像を表示するステップをさらに含む、請求項３に記載の情報入力方法。
【請求項６】
前記１つ以上の項目が前記情報記録装置に送信された後に、選択された複数の入居者の数に応じた画像を１つ減らすステップをさらに含む、請求項５に記載の情報入力方法。
【請求項７】
前記第２のモードが選択されている場合に、選択された複数の入居者の数を表示するステップをさらに含む、請求項１または２に記載の情報入力方法。
【請求項８】
前記第２のモードが選択されている場合に、訂正の対象となる項目の選択を受け付けて、選択された項目についてデータの入力を受け付けるステップをさらに備える、請求項１または２に記載の情報入力方法。
【請求項９】
請求項１〜８のいずれかに記載の情報入力方法をコンピュータに実行させる、プログラム。
【請求項１０】
請求項９に記載のプログラムを格納したメモリーと、
前記プログラムを実行するためのプロセッサーとを備える、情報通信端末。
【発明の詳細な説明】
【技術分野】
【０００１】
本開示は情報を入力する技術に関し、より特定的には、同種類の項目を入力する技術に関する。
【背景技術】
【０００２】
介護施設が増えるにつれて監視対象となる入居者の数が増えている。そのため、介護や看護の記録の負担を軽減する技術が必要とされている。例えば、国際公開第２０１８／００３４６３号（特許文献１）は、「看介護記録の手間や時間をより軽減できる被監視者監視システム」を開示している（段落０００９参照）。【０００３】
また、記録されたデータを状況に応じて提示する技術が知られている。たとえば、特開２００７−２０００３０号公報（特許文献２）は、「オーダと連携した温度板を作成する医療情報管理装置」を開示している（段落０００４参照）。
【先行技術文献】
【特許文献】
【０００４】
【特許文献１】国際公開第２０１８／００３４６３号
【特許文献２】特開２００７−２０００３０号公報
【発明の概要】
【発明が解決しようとする課題】
【０００５】
入居者に行った介護の記録（以下「介護記録」ともいう。）を行う際、例えば、食事や介助等、同じ介護の種類であっても入居者ごとに記録する情報が異なる場合と、複数の介護者が一緒に行った行動（レクリエーションなど）のように複数の入居者に対し、同じ情報を記録する場合がある。特に後者の場合、入居者ごとに同じような情報（以下「ケア項目」ともいう。）を繰り返し入力すると時間を要する。監視対象となる入居者の数および入力されるケア項目の数によっては、各介護者による入力の負担が依然として大きい。したがって、情報の入力の負担が軽減される技術が必要とされている。【０００６】
本開示は上記のような背景に鑑みてなされたものであって、ある局面において、入力の負担が軽減される技術が提供される。
【課題を解決するための手段】
【０００７】
ある実施の形態に従うと、情報記録装置と通信可能なコンピュータが実行する情報入力方法が提供される。この方法は、複数の入居者の識別情報を表示するステップと、情報の記録の対象となる複数の入居者の選択を受け付けるステップと、選択された複数の入居者の各々に関連付けて記録される１つ以上の項目の選択の入力を受け付けるステップと、選択された１つ以上の項目の登録モードとして、選択された複数の入居者の各々について個別に登録する第１のモードと、選択された複数の入居者について一括して登録する第２のモードとのいずれかの選択を受け付けるステップと、選択されたモードで、選択された１つ以上の項目を情報記録装置に送信するステップとを含む。【０００８】
ある局面において、表示するステップは、複数の入居者のいずれかが他の入居者よりも優先して扱われることを示す優先度を、当該入居者に関連付けて表示することを含む。項目の選択の入力を受け付けるステップは、優先度が付された一人以上の入居者の選択を受け付けることを含む。【０００９】
ある局面において、当該方法は、第１のモードが選択されている場合に、選択された複数の入居者のうちの、１つ以上の項目の入力が行なわれている入居者を表示するステップをさらに含む。【００１０】
ある局面において、当該方法は、１つ以上の項目が情報記録装置に送信された後に、当該１つ以上の項目の送信が完了した入居者の名前を表示するステップをさらに含む。【００１１】
ある局面において、当該方法は、第１のモードが選択されている場合に、選択された複数の入居者の数に応じた画像を表示するステップをさらに含む。【００１２】
ある局面において、当該方法は、１つ以上の項目が情報記録装置に送信された後に、選択された複数の入居者の数に応じた画像を１つ減らすステップをさらに含む。【００１３】
ある局面において、当該方法は、第２のモードが選択されている場合に、選択された複数の入居者の数を表示するステップをさらに含む。【００１４】
ある局面において、当該方法は、第２のモードが選択されている場合に、訂正の対象となる項目の選択を受け付けて、選択された項目についてデータの入力を受け付けるステップをさらに備える。【００１５】
他の実施の形態に従うと、上記のいずれかに記載の情報入力方法をコンピュータに実行させるプログラムが提供される。【００１６】
さらに他の実施の形態に従うと、上記のプログラムを格納したメモリーと、プログラムを実行するためのプロセッサーとを備える情報通信端末が提供される。【００１７】
ある局面において、携帯端末を用いたケア項目の入力の負担が軽減され得る。
この発明の上記および他の目的、特徴、局面および利点は、添付の図面と関連して理解されるこの発明に関する次の詳細な説明から明らかとなるであろう。
【図面の簡単な説明】
【００１８】
【図１】見守りシステム１００の構成の一例を示す図である。
【図２】見守りシステム１００の構成の概要を示すブロック図である。
【図３】クラウドサーバー１５０として機能するコンピューターシステム３００のハードウェア構成を表わすブロック図である。
【図４】センサーボックス１１９を用いた見守りシステム１００の装置構成の概略の一例を示す図である。
【図５】ある局面に従う携帯端末を実現する情報通信端末５００のハードウェア構成を表わすブロック図である。
【図６】ある実施の形態に従う情報通信端末５００の機能構成を表わすブロック図である。
【図７】ある実施の形態に従う情報通信端末５００が実行する処理の一部を表わすフローチャートである。
【図８】メニュー画面から入居者の選択画面への遷移を表わす図である。
【図９】食事の入力を受け付ける画面を表わす図である。
【図１０】ケア項目の送信が完了したことを表わす図である。
【発明を実施するための形態】
【００１９】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２０】
［見守りシステムの構成］
図１は、見守りシステム１００の構成の一例を示す図である。見守り対象は、例えば、施設の居室領域１８０に設けられた各居室内の入居者（「被介護者」という場合もある。）である。図１の見守りシステム１００では、居室領域１８０に、居室１１０，１２０が設けられている。居室１１０は、入居者１１１に割り当てられている。居室１２０は、入居者１２１に割り当てられている。図１の例では、見守りシステム１００に含まれる居室の数は２であるが、当該数はこれに限定されない。
【００２１】
見守りシステム１００では、居室１１０，１２０にそれぞれ設置されたセンサーボックス１１９と、管理センター１３０に設置された管理サーバー２００と、アクセスポイント１４０とが、ネットワーク１９０を介して接続される。ネットワーク１９０は、イントラネットおよびインターネットのいずれをも含み得る。
【００２２】
見守りシステム１００では、介護者１４１が携帯する携帯端末１４３、および、介護者１４２が携帯する携帯端末１４４は、アクセスポイント１４０を介してネットワーク１９０に接続可能である。さらに、センサーボックス１１９、管理サーバー２００、および、アクセスポイント１４０は、ネットワーク１９０を介して、クラウドサーバー１５０と通信可能である。携帯端末１４３，１４４は、例えば、所謂スマートフォン、タブレット端末である。
【００２３】
居室１１０，１２０は、それぞれ、設備として、タンス１１２、ベッド１１３、および、トイレ１１４を含む。居室１１０のドアには、当該ドアの開閉を検出するドアセンサー１１８が設置されている。トイレ１１４のドアには、トイレ１１４の開閉を検出するトイレセンサー１１６が設置されている。ベッド１１３には、各入居者１１１，１２１の臭いを検出する臭いセンサー１１７が設置されている。各入居者１１１，１２１は、当該入居者１１１，１２１のバイタル情報を検出するバイタルセンサー２９０を装着している。検出されるバイタル情報は、入居者の体温、呼吸、心拍数等を含む。居室１１０，１２０では、各入居者１１１，１２１は、それぞれ、ケアコール子機１１５を操作することができる。
【００２４】
センサーボックス１１９は、居室１１０，１２０内の物体の挙動を検出するためのセンサーを内蔵している。センサーの一例は、物体の動作を検出するためのドップラーセンサーである。他の例は、カメラである。センサーボックス１１９は、センサーとしてドップラーセンサーとカメラの双方を含んでもよい。
【００２５】
図２を参照して、見守りシステム１００の構成要素について説明する。図２は、見守りシステム１００の構成の概要を示すブロック図である。
【００２６】
［センサーボックス１１９］
センサーボックス１１９は、制御装置１０１と、ＲＯＭ（Read  Only  Memory）１０２と、ＲＡＭ（Random  Access  Memory）１０３と、通信インターフェイス１０４と、カメラ１０５と、ドップラーセンサー１０６と、無線通信装置１０７と、記憶装置１０８とを備える。
【００２７】
制御装置１０１は、センサーボックス１１９を制御する。制御装置１０１は、たとえば、少なくとも１つの集積回路によって構成される。集積回路は、たとえば、少なくとも１つのＣＰＵ（Central  Processing  Unit）、ＭＰＵ（Micro  Processing  Unit）その他のプロセッサー、少なくとも１つのＡＳＩＣ（Application  Specific  Integrated  Circuit）、少なくとも１つのＦＰＧＡ（Field  Programmable  Gate  Array）、またはこれらの組み合わせなどによって構成される。
【００２８】
通信インターフェイス１０４には、アンテナ（図示しない）などが接続される。センサーボックス１１９は、当該アンテナを介して、外部の通信機器との間でデータをやり取りする。外部の通信機器は、たとえば、管理サーバー２００、携帯端末１４３，１４４その他の端末、アクセスポイント１４０、クラウドサーバー１５０、その他の通信端末などを含む。
【００２９】
カメラ１０５は、一実現例では、近赤外カメラである。近赤外カメラは、近赤外光を投光するＩＲ（Infrared）投光器を含む。近赤外カメラが用いられることにより、夜間でも居室１１０，１２０の内部を表わす画像が撮影され得る。他の実現例では、カメラ１０５は、可視光のみを受光する監視カメラである。さらに他の実現例では、カメラ１０５として、３Ｄセンサやサーモグラフィーカメラが用いられてもよい。センサーボックス１１９およびカメラ１０５は、一体として構成されてもよいし、別体で構成されてもよい。
【００３０】
ドップラーセンサー１０６は、たとえばマイクロ波ドップラーセンサーであり、電波を放射及び受信して、居室１１０，１２０内の物体の挙動（動作）を検出する。これにより、居室１１０，１２０の入居者１１１，１２１の生体情報が検出され得る。一例では、ドップラーセンサー１０６は、２４ＧＨｚ帯のマイクロ波を各居室１１０，１２０のベッド１１３に向けて放射し、入居者１１１，１２１で反射した反射波を受信する。反射波は、入居者１１１，１２１の動作により、ドップラーシフトしている。ドップラーセンサー１０６は、当該反射波から、入居者１１１，１２１の呼吸状態や心拍数を検出し得る。
【００３１】
無線通信装置１０７は、ケアコール子機２４０、ドアセンサー１１８、トイレセンサー１１６、臭いセンサー１１７、および、バイタルセンサー２９０からの信号を受信し、当該信号を制御装置１０１へ送信する。たとえば、ケアコール子機２４０は、ケアコールボタン２４１を備える。当該ボタンが操作されると、ケアコール子機２４０は、当該操作があったことを示す信号を無線通信装置１０７へ送信する。ドアセンサー１１８、トイレセンサー１１６、臭いセンサー１１７、および、バイタルセンサー２９０は、それぞれの検出結果を無線通信装置１０７へ送信する。
【００３２】
記憶装置１０８は、たとえば、フラッシュメモリーまたはハードディスク等の固定記憶装置、あるいは、外付けの記憶装置などの記録媒体である。記憶装置１０８は、制御装置１０１によって実行されるプログラム、および、当該プログラムの実行に利用される各種のデータを格納する。各種のデータは、入居者１１１，１２１の行動情報を含んでいてもよい。行動情報の詳細は後述する。
【００３３】
上記のプログラムおよびデータのうち少なくとも一方は、制御装置１０１がアクセス可能な記憶装置であれば、記憶装置１０８以外の記憶装置（たとえば、制御装置１０１の記憶領域（たとえば、キャッシュメモリーなど）、ＲＯＭ１０２、ＲＡＭ１０３、外部機器（たとえば、管理サーバー２００や携帯端末１４３，１４４等）に格納されていてもよい。
【００３４】
［行動情報］
上記の行動情報について、説明する。行動情報は、たとえば入居者１１１，１２１が所定の行動を実行したことを表わす情報である。一例では、所定の行動は、入居者１１１，１２１が起きたことを表わす「起床」、入居者１１１，１２１がベッド（寝具）１１３から離れたことを表わす「離床」、入居者１１１，１２１がベッド（寝具）１１３から落ちたことを表わす「転落」、および、入居者１１１，１２１が倒れたことを表わす「転倒」の４つの行動を含む。
【００３５】
一実施の形態では、制御装置１０１が、各居室１１０，１２０に設置されたカメラ１０５が撮像した画像に基づいて、各居室１１０，１２０に関連付けられた入居者１１１，１２１の各行動情報を生成する。制御装置１０１は、たとえば、上記画像から入居者１１１，１２１の頭部を検出し、この検出した入居者１１１，１２１の頭部における大きさの時間変化に基づいて、入居者１１１，１２１の「起床」、「離床」、「転倒」および「転落」を検出する。以下、行動情報の生成の一具体例を、より詳細に説明する。
【００３６】
まず、記憶装置１０８に、居室１１０，１２０における各ベッド１１３の所在領域、第１閾値Ｔｈ１、第２閾値Ｔｈ２、および、第３閾値Ｔｈ３が格納される。第１閾値Ｔｈ１は、ベッド１１３の所在領域内において、横臥姿勢にあるときと座位姿勢にあるときとの間で入居者の頭部の大きさを識別する。第２閾値Ｔｈ２は、ベッド１１３の所在領域を除く居室１１０，１２０内において、入居者の頭部の大きさに基づいて、当該入居者が立位姿勢にあるか否かを識別する。第３閾値Ｔｈ３は、ベッド１１３の所在領域を除く居室１１０，１２０内において、入居者の頭部の大きさに基づいて、当該入居者が横臥姿勢にあるか否かを識別する。
【００３７】
制御装置１０１は、対象画像から、例えば背景差分法やフレーム差分法によって、入居者１１１，１２１の人物の領域として、動体領域を抽出する。制御装置１０１は、さらに、当該抽出した動体領域から、例えば円形や楕円形のハフ変換によって、予め用意された頭部のモデルを用いたパターンマッチングによって、頭部検出用に学習したニューラルネットワークによって導出された閾値を用いて、入居者１１１，１２１の頭部領域を抽出する。制御装置１０１は、当該抽出された頭部の位置および大きさから、「起床」、「離床」、「転倒」および「転落」を検知する。
【００３８】
制御装置１０１は、上記のように抽出された頭部の位置がベッド１１３の所在領域内にあり、かつ、上記のように抽出された頭部の大きさが第１閾値Ｔｈ１を用いることによって横臥姿勢の大きさから座位姿勢の大きさへと変化したことを検出した場合に、行動「起床」が発生したことを決定してもよい。
【００３９】
制御装置１０１は、上記のように抽出された頭部の位置がベッド１１３の所在領域内からベッド１１３の所在領域外へ移動した場合において、上記のように抽出された頭部の大きさに対して第２閾値Ｔｈ２を適用することにより、頭部がある大きさから立位姿勢の大きさへと変化したことを検出したときには、行動「離床」が発生したと判定してもよい。
【００４０】
制御装置１０１は、上記のように抽出された頭部の位置がベッド１１３の所在領域内からベッド１１３の所在領域外へ移動した場合において、上記のように抽出された頭部の大きさに対して第３閾値Ｔｈ３を適用することにより、頭部がある大きさから横臥姿勢の大きさへと変化したことを検出したときには、行動「転落」が発生したと判定してもよい。
【００４１】
制御装置１０１は、上記のように抽出された頭部の位置がベッド１１３の所在領域を除く居室１１０，１２０内に位置し、かつ、抽出された頭部の大きさが第３閾値Ｔｈ３を用いることによって或る大きさから横臥姿勢の大きさへと変化したことを検出した場合には、行動「転倒」が発生したと決定してもよい。
【００４２】
以上説明されたように、一具体例では、センサーボックス１１９の制御装置１０１が、入居者１１１，１２１の各行動情報を生成する。なお、他の局面に従う見守りシステム１００では、居室１１０，１２０内の画像を用いて、制御装置１０１以外の他の要素（例えば、クラウドサーバー１５０）が入居者１１１，１２１の行動情報を生成してもよい。
【００４３】
［携帯端末１４３，１４４］
携帯端末１４３，１４４は、制御装置２２１と、ＲＯＭ２２２と、ＲＡＭ２２３と、通信インターフェイス２２４と、ディスプレイ２２６と、記憶装置２２８と、入力デバイス２２９とを含む。ある局面において、携帯端末１４３，１４４は、例えば、スマートフォン、タブレット端末、腕時計型端末その他のウェアラブル装置等として実現される。
【００４４】
制御装置２２１は、携帯端末１４３，１４４を制御する。制御装置２２１は、たとえば、少なくとも１つの集積回路によって構成される。集積回路は、たとえば、少なくとも１つのＣＰＵ、少なくとも１つのＡＳＩＣ、少なくとも１つのＦＰＧＡ、またはそれらの組み合わせなどによって構成される。
【００４５】
通信インターフェイス２２４には、アンテナ（図示しない）などが接続される。携帯端末１４３，１４４は、当該アンテナおよびアクセスポイント１４０を介して、外部の通信機器との間でデータをやり取りする。外部の通信機器は、たとえば、センサーボックス１１９、管理サーバー２００などを含む。
【００４６】
ディスプレイ２２６は、たとえば液晶ディスプレイ、有機ＥＬ（Electro  Luminescence）ディスプレイ等によって実現される。入力デバイス２２９は、たとえばディスプレイ２２６に設けられたタッチセンサーによって実現される。当該タッチセンサーは、携帯端末１４３，１４４に対するタッチ操作を受け付け、当該タッチ操作に応じた信号を制御装置２２１へ出力する。
【００４７】
記憶装置２２８は、たとえば、フラッシュメモリー、ハードディスクその他の固定記憶装置、あるいは、着脱可能なデータ記録媒体等により実現される。
【００４８】
［クラウドサーバーの構成］
図３を参照して、クラウドサーバー１５０の構成について説明する。図３は、クラウドサーバー１５０として機能するコンピューターシステム３００のハードウェア構成を表わすブロック図である。
【００４９】
コンピューターシステム３００は、主たる構成要素として、プログラムを実行するＣＰＵ１と、コンピューターシステム３００の使用者による指示の入力を受けるマウス２およびキーボード３と、ＣＰＵ１によるプログラムの実行により生成されたデータ、又はマウス２若しくはキーボード３を介して入力されたデータを揮発的に格納するＲＡＭ４と、データを不揮発的に格納するハードディスク５と、光ディスク駆動装置６と、通信インターフェイス（Ｉ／Ｆ）７と、モニター８とを含む。各構成要素は、相互にデータバスによって接続されている。光ディスク駆動装置６には、ＣＤ−ＲＯＭ９その他の光ディスクが装着される。
【００５０】
コンピューターシステム３００における処理は、各ハードウェアおよびＣＰＵ１により実行されるソフトウェアによって実現される。このようなソフトウェアは、ハードディスク５に予め記憶されている場合がある。また、ソフトウェアは、ＣＤ−ＲＯＭ９その他の記録媒体に格納されて、コンピュータープログラムとして流通している場合もある。あるいは、ソフトウェアは、いわゆるインターネットに接続されている情報提供事業者によってダウンロード可能なアプリケーションプログラムとして提供される場合もある。このようなソフトウェアは、光ディスク駆動装置６その他の読取装置によりその記録媒体から読み取られて、あるいは、通信インターフェイス７を介してダウンロードされた後、ハードディスク５に一旦格納される。そのソフトウェアは、ＣＰＵ１によってハードディスク５から読み出され、ＲＡＭ４に実行可能なプログラムの形式で格納される。ＣＰＵ１は、そのプログラムを実行する。
【００５１】
図３に示されるコンピューターシステム３００を構成する各構成要素は、一般的なものである。したがって、本開示に係る技術思想の本質的な部分の一つは、ＲＡＭ４、ハードディスク５、ＣＤ−ＲＯＭ９その他の記録媒体に格納されたソフトウェア、あるいはネットワークを介してダウンロード可能なソフトウェアであるともいえる。記録媒体は、一時的でない、コンピューター読取可能なデータ記録媒体を含み得る。なお、コンピューターシステム３００の各ハードウェアの動作は周知であるので、詳細な説明は繰り返さない。
【００５２】
なお、記録媒体としては、ＣＤ−ＲＯＭ、ＦＤ（Flexible  Disk）、ハードディスクに限られず、磁気テープ、カセットテープ、光ディスク（ＭＯ（Magnetic  Optical  Disc）／ＭＤ（Mini  Disc）／ＤＶＤ（Digital  Versatile  Disc））、ＩＣ（Integrated  Circuit）カード（メモリーカードを含む）、光カード、マスクＲＯＭ、ＥＰＲＯＭ（Electronically  Programmable  Read-Only  Memory）、ＥＥＰＲＯＭ（Electronically  Erasable  Programmable  Read-Only  Memory）、フラッシュＲＯＭなどの半導体メモリー等の固定的にプログラムを担持する媒体でもよい。
【００５３】
ここでいうプログラムとは、ＣＰＵにより直接実行可能なプログラムだけでなく、ソースプログラム形式のプログラム、圧縮処理されたプログラム、暗号化されたプログラム等を含む。
【００５４】
［見守りシステム１００の装置構成］
図４を参照して、見守りシステム１００を用いた見守りについて説明する。図４は、センサーボックス１１９を用いた見守りシステム１００の装置構成の概略の一例を示す図である。
【００５５】
見守りシステム１００は、見守り対象者（監視対象者）である入居者１１１，１２１その他の入居者を見守るために利用される。図４に示されるように、居室１１０の天井には、センサーボックス１１９が取り付けられている。他の居室にも同様にセンサーボックス１１９が取り付けられている。
【００５６】
範囲４１０は、センサーボックス１１９による検出範囲を表わす。センサーボックス１１９が前述のドップラーセンサーを有する場合、当該ドップラーセンサーは、範囲４１０内で生じた人の挙動を検出する。センサーボックス１１９がセンサーとしてカメラを有する場合、当該カメラは、範囲４１０内の画像を撮影する。
【００５７】
センサーボックス１１９は、たとえば、介護施設、医療施設、宅内などに設置される。図４の例では、センサーボックス１１９は、天井に取り付けられており、入居者１１１およびベッド１１３を撮影している。センサーボックス１１９の取り付け場所は天井に限られず、居室１１０の側壁に取り付けられてもよい。
【００５８】
見守りシステム１００は、カメラ１０５から得られた一連の画像（すなわち、映像）に基づいて入居者１１１に生じている危険を検知する。一例として、検知可能な危険は、入居者１１１の転倒や、危険個所（たとえば、ベッドの柵など）に入居者１１１がいる状態などを含む。
【００５９】
見守りシステム１００は、入居者１１１に危険が生じていることを検知した場合に、そのことを介護者１４１，１４３等に報知する。報知方法の一例として、見守りシステム１００は、入居者１１１の危険を介護者１４１，１４２の携帯端末１４３，１４４に通知する。携帯端末１４３，１４４は、当該通知を受信すると、入居者１１１の危険をメッセージ、音声、振動等で介護者１４１，１４２に報知する。これにより、介護者１４１，１４２は、入居者１１１に危険が生じていることを即座に把握でき、入居者１１１の元に素早く駆け付けることができる。
【００６０】
なお、図４には、見守りシステム１００が１つのセンサーボックス１１９を備えている例が示されているが、見守りシステム１００は、複数のセンサーボックス１１９を備えてもよい。また、図４には、見守りシステム１００が複数の携帯端末１４３，１４４を備えている例が示されているが、見守りシステム１００は、一つの携帯端末でも実現され得る。
【００６１】
ある局面において、介護者４４０は、携帯端末４４１を用いて、入居者１１１に関する状態を記録する。ケア項目としてクラウドサーバー１５０に記録される情報は、例えば、以下のような項目を含み得るが、下記に例示される項目に限られない。
（１）食事（主食、副食）が行なわれた時刻、食事の内容、摂取量、または食後の食器の状態を示す画像
（２）排泄が行なわれた時間、量または状態
（３）バイタルデータ（血圧（収縮期、拡張期、脈圧）、心拍数（または脈拍数）、尿量、呼吸状態（呼吸回数、呼吸パターン、ＳｐＯ２）、意識状態（興奮系、朦朧系もしくは昏睡）、体温）
（４）おやつを食した時間、内容または量
（５）定期的にまたは臨時に薬が投与された時刻、当該薬の種類または量
（６）口腔ケア（歯磨きなど）が行なわれた時刻または口腔ケアの内容
（７）水分補給が行なわれた時刻または補給された水分の量
（８）個別訓練（例えば、歩行訓練など）が行なわれた時刻またはその状態
［入力の一例］
介護者４４０は、携帯端末４４１において、入居者（例えば、入居者１１１のみ、あるいは入居者１１１，１２１のような複数の入居者）を選択し、上述項目（１）〜（８）として例示されるような項目を選択する。介護者４４０が複数の入居者を選択した場合には、携帯端末４４１を用いた入力モードとして、「連続入力」モードまたは「一括入力」モードを選択することができる。
【００６２】
「連続入力」モードは、選択された各入居者について、連続して個別に情報をクラウドサーバー１５０に登録（送信）することを可能にする。連続入力が選択されている場合には、携帯端末４４１は、選択されている複数の入居者のうちどの入居者についての情報が入力されているかを表示し得る。また、情報が送信された後、携帯端末４４１は、どの入居者についての情報がクラウドサーバー１５０に送信されたかを表示し得る。さらに、携帯端末４４１は、選択されている入居者が一名減った状態で、項目の送信対象となる残りの入居者の数を表示し得る。これにより、介護者４４０は、ある入居者についての項目の送信を完了した後に、次に、どの入居者について項目を入力しているかを確認できるので、誤入力が防止され得る。
【００６３】
別の局面において、携帯端末４４１は、介護者４４０の操作に基づいて、入力モードを「連続入力」モードから「一括入力」モードに切り替えることができる。例えば、「連続入力」の場合において３名の入居者が選択されているとき、携帯端末４４１が、１名の入居者についてケア項目の送信が完了した後に、介護者４４０は、入力モードを「連続入力」から「一括入力」モードに切り替えることができる。その後、携帯端末４４１は、後述する「一括入力」モードの動作モードにおいて、残りの入居者についての各ケア項目を一括して管理サーバー２００に送信することができる。
【００６４】
「一括入力」モードは、選択された各入居者について、同じ情報（ケア項目）をクラウドサーバー１５０に登録（送信）することを可能にする。一括入力が選択されている場合、携帯端末４４１は、何名の入居者が選択されているのかを表示し得る。また、「一括入力」モードが選択されている場合に、訂正の対象となる項目の選択を受け付けて、選択された項目についてデータの入力を受け付けることができる。
【００６５】
図５を参照して、携帯端末１４３，１４４，４４１の構造について説明する。図５は、ある局面に従う携帯端末を実現する情報通信端末５００のハードウェア構成を表わすブロック図である。
【００６６】
情報通信端末５００は、ＣＰＵ（Central  Processing  Unit）２０と、アンテナ２３と、通信装置２４と、入力スイッチ２５と、カメラ２６と、フラッシュメモリー２７と、ＲＡＭ（Random  Access  Memory）２８と、ＲＯＭ（Read-Only  Memory）２９と、メモリカード駆動装置３０と、マイク３２と、スピーカー３３と、音声信号処理回路３４と、モニター３５と、ＬＥＤ（Light  Emitting  Diode）３６と、通信インターフェイス３７と、バイブレーター３８と、ＧＰＳアンテナ３９と、ＧＰＳモジュール４０と、加速度センサー４１と、地磁気センサー４２とを備える。メモリカード駆動装置３０には、メモリカード３１が装着され得る。
【００６７】
アンテナ２３は、基地局によって発信される信号を受信し、または、基地局を介して他の通信装置と通信するための信号を送信する。アンテナ２３によって受信された信号は、通信装置２４によってフロントエンド処理が行なわれ、処理後の信号は、ＣＰＵ２０に送られる。
【００６８】
ＣＰＵ２０は、情報通信端末５００に対して与えられる命令に基づいて情報通信端末５００の動作を制御するための処理を実行する。情報通信端末５００が信号を受信すると、ＣＰＵ２０は、通信装置２４から送られた信号に基づいて予め規定された処理を実行し、処理後の信号を音声信号処理回路３４に送出する。音声信号処理回路３４は、その信号に対して予め規定された信号処理を実行し、処理後の信号をスピーカー３３に送出する。スピーカー３３は、その信号に基づいて音声を出力する。
【００６９】
入力スイッチ２５は、情報通信端末５００に対する命令の入力を受け付ける。入力スイッチ２５は、タッチセンサ、情報通信端末５００の筐体に設けられたボタン等により実現される。入力された命令に応じた信号は、ＣＰＵ２０に入力される。
【００７０】
マイク３２は、情報通信端末５００に対する発話を受け付けて、発話された音声に対応する信号を音声信号処理回路３４に対して送出する。音声信号処理回路３４は、その信号に基づいて通話のために予め規定された処理を実行し、処理後の信号をＣＰＵ２０に対して送出する。ＣＰＵ２０は、その信号を送信用のデータに変換し、変換後のデータを通信装置２４に対して送出する。通信装置２４は、そのデータを用いて送信用の信号を生成し、アンテナ２３に向けてその信号を送出する。
【００７１】
フラッシュメモリー２７は、ＣＰＵ２０から送られるデータを格納する。また、ＣＰＵ２０は、フラッシュメモリー２７に格納されているデータを読み出し、そのデータを用いて予め規定された処理を実行する。
【００７２】
ＲＡＭ２８は、入力スイッチ２５に対して行なわれた操作に基づいてＣＰＵ２０によって生成されるデータを一時的に保持する。ＲＯＭ２９は、情報通信端末５００に予め定められた動作を実行させるためのプログラムあるいはデータを格納している。ＣＰＵ２０は、ＲＯＭ２９から当該プログラムまたはデータを読み出し、情報通信端末５００の動作を制御する。
【００７３】
メモリカード駆動装置３０は、メモリカード３１に格納されているデータを読み出し、ＣＰＵ２０に送出する。メモリカード駆動装置３０は、ＣＰＵ２０によって出力されるデータを、メモリカード３１の記憶領域に書き込む。
【００７４】
音声信号処理回路３４は、上述のような通話のための信号処理を実行する。なお、本実施の形態では、ＣＰＵ２０と音声信号処理回路３４とが別個の構成として示されているが、他の局面において、ＣＰＵ２０と音声信号処理回路３４とが一体として構成されていてもよい。
【００７５】
モニター３５は、タッチ操作式のモニタであるが、タッチ操作を受け付ける機構は特に限られない。モニター３５は、ＣＰＵ２０から取得されるデータに基づいて、当該データによって規定される画像を表示する。たとえば、フラッシュメモリー２７に格納されている静止画、動画、地図などを表示する。
【００７６】
ＬＥＤ３６は、ＣＰＵ２０から出力される信号に基づいて発光する。ある局面において、通信インターフェイス３７は、Ｗｉ-Ｆｉ（登録商標：Wireless  Fidelity）、Bluetooth（登録商標）、ＮＦＣ（Near  Field  Communication）等により実現される。別の局面において、通信インターフェイス３７は、データ通信用のケーブルの装着を受け付ける。通信インターフェイス３７は、ＣＰＵ２０から出力される信号を発信する。あるいは、通信インターフェイス３７は、情報通信端末５００の外部から受信した信号に含まれるデータを、ＣＰＵ２０に対して送信する。
【００７７】
バイブレーター３８は、ＣＰＵ２０から出力される信号に基づいて、予め定められた周波数で発振動作を実行する。
【００７８】
ＧＰＳアンテナ３９は、４つ以上の衛星からそれぞれ送信されるＧＰＳ信号を受信する。受信された各ＧＰＳ信号は、ＧＰＳモジュール４０に入力される。ＧＰＳモジュール４０は、各ＧＰＳ信号と公知の技術とを用いて測位処理を実行し、情報通信端末５００の位置情報を取得する。
【００７９】
加速度センサー４１は、情報通信端末５００に作用する加速度を検出する。ある局面において、加速度センサー４１は、３軸加速度センサとして実現される。検出された加速度は、ＣＰＵ２０に入力される。ＣＰＵ２０は、この加速度に基づいて、情報通信端末５００の動きや姿勢（傾き）を検出する。
【００８０】
地磁気センサー４２は、情報通信端末５００が向いている方角を検出する。この検出により取得された情報は、ＣＰＵ２０に入力される。
【００８１】
ある局面において、情報通信端末５００は、所謂スマートフォンやタブレット端末のように、ネットワークを介した通信機能を備える端末装置として実現される。
【００８２】
［機能構成］
図６を参照して、情報通信端末５００を実現する機能について説明する。図６は、ある実施の形態に従う情報通信端末５００の機能構成を表わすブロック図である。情報通信端末５００は、入力部６１０と、入居者選択部６２０と、入力モード選択部６３０と、１次記憶部６４０と、表示部６５０と、送信データ生成部６６０と、出力部６７０とを備える。
【００８３】
入力部６１０は、情報通信端末５００の使用者（例えば、介護者１４１，１４２，４４０）による命令の入力を受け付ける。入力部６１０は、例えば、タッチパネル、物理スイッチその他の入力スイッチ２５として実現される。
【００８４】
入居者選択部６２０は、使用者の入力に基づいて、ケア項目の入力の対象となる介護者の選択を受け付ける。ある局面において、ＣＰＵ２０は、所定のアプリケーションモジュールを実行し、予め登録されている介護者のリストをモニター３５に表示し、使用者による入居者の選択が確定されたことに基づいて、入居者の選択を受け付ける。
【００８５】
入力モード選択部６３０は、使用者の入力に基づいて、ケア項目の入力モードの選択を受け付ける。選択対象となる入力モードは、「連続入力」および「一括入力」を含むが、他の入力モードを含んでもよい。
【００８６】
１次記憶部６４０は、選択された情報を一時的に保持する。１次記憶部６４０は、例えば、ＲＡＭその他の揮発性メモリによって実現され得る。
【００８７】
表示部６５０は、複数のケア項目の各々を表わすアイコン、ケア項目の入力対象となり得る入居者の一覧を表示する。表示部６５０は、モニター３５として実現される。
【００８８】
送信データ生成部６６０は、情報通信端末５００からクラウドサーバー１５０に送信されるデータを生成する。当該データは、使用者によって選択された入居者の識別番号、当該入居者についての選択されたケア項目の情報を含む。
【００８９】
出力部６７０は、送信データ生成部６６０によって生成されたデータを、情報通信端末５００の外部に出力する。出力先は、クラウドサーバー１５０を含む。ある局面において、情報通信端末５００からクラウドサーバー１５０までの送信は、電話回線、インターネット、イントラネット、Ｗｉ-Ｆｉ（登録商標）等の通信回線を含む。情報通信端末５００とクラウドサーバー１５０との通信は、セキュリティで保護されていることが好ましい。
【００９０】
［制御構造］
図７を参照して、情報通信端末５００の制御構造について説明する。図７は、ケア項目のデータの入力のためにある実施の形態に従う情報通信端末５００が実行する処理の一部を表わすフローチャートである。
【００９１】
ステップＳ７１０にて、ＣＰＵ２０は、使用者（例えば、介護者や医療従事者）の入力に応答して、ケア項目のデータを管理サーバー２００に送信するためのメニュー画面をモニター３５に表示する。
【００９２】
ステップＳ７１５にて、ＣＰＵ２０は、当該使用者によるメニュー画面における選択に応答して、入居者を選択する画面をモニター３５に表示する。当該選択は、例えば、タッチ操作、音声入力等を含む。
【００９３】
ステップＳ７２０にて、ＣＰＵ２０は、タッチ操作、音声入力その他の選択操作が情報通信端末５００に与えられたことに基づいて、入居者を選択して入力するモードの指定を受け付ける。入居者の選択は、タッチ操作、音声入力等を含む。ある局面において、モニター３５が入居者の一覧を表示し、使用者がその一覧から入力対象となる入居者を選択し得る。別の局面において、各入居者の顔画像が管理サーバー２００に予め登録されている場合において、使用者が情報通信端末５００のカメラ２６を用いて入居者を撮影し、その撮影された入居者を認識することにより、ケア項目の入力対象となる入居者を選択してもよい。さらに別の局面において、情報通信端末５００の位置情報に基づいて、情報通信端末５００の使用者がいる場所に対応する居室の入居者が入力対象として選択されてもよい。
【００９４】
ステップＳ７２５にて、ＣＰＵ２０は、タッチ操作、音声入力その他の選択操作が情報通信端末５００に与えられたことに基づいて、介護記録を構成する各ケア項目の選択を受け付ける。介護者は、各ケア項目の一覧からデータの入力を希望する各ケア項目を選択する。
【００９５】
ステップＳ７３０にて、ＣＰＵ２０は、各ケア項目の具体的な内容の入力を受け付ける画面をモニター３５に表示する。当該具体的な内容は、食事、排泄、バイタルデータ、おやつ、投薬、口腔ケア、水分補給、個別訓練等に関する情報を含むが、これらに限られない。少なくとも、当該入居者の状態に関連付けられる情報が、入力対象となり得る。
【００９６】
ステップＳ７３５にて、ＣＰＵ２０は、ケア項目の具体的な内容の入力を受け付ける入力モードの選択を受け付ける。例えば、情報通信端末５００は、「連続入力」モードと、「一括入力」モードとのいずれかのモードの選択を受け付ける。その後、ＣＰＵ２０は、選択された入力モードにおいて、各ケア項目の入力を受け付ける。
【００９７】
ステップＳ７４０にて、ＣＰＵ２０は、タッチ操作、音声入力その他の命令が情報通信端末５００に与えられたことに基づいて、介護記録を構成する各ケア項目をクラウドサーバー１５０に送信する指示の入力を受け付ける。
【００９８】
ステップＳ７４５にて、ＣＰＵ２０は、当該指示の入力に応答して、クラウドサーバー１５０との間で、セキュリティが確保された通信セッションを確立し、その後、ケア項目を含む介護記録をクラウドサーバー１５０に送信する。
【００９９】
ステップＳ７５０にて、ＣＰＵ２０は、入力モードに応じて、介護記録の送信内容を表示する。ＣＰＵ２０は、さらに、送信内容を確認した旨の入力を促す画像をモニター３５に表示する。
【０１００】
ステップＳ７５５にて、ＣＰＵ２０は、タッチ操作、音声入力その他の選択操作が情報通信端末５００に与えられたことに基づいて、送信内容を確認した旨の入力を受け付ける。
【０１０１】
ステップＳ７６０にて、ＣＰＵ２０は、モニター３５にメニュー画面を表示し、初期状態に復帰する。その後、情報通信端末５００は、クラウドサーバー１５０との通信を遮断する。
【０１０２】
［画面の表示態様］
図８〜図１０を参照して、本実施の形態に係る情報通信端末５００における画面の表示態様について説明する。図８〜図１０は、介護者が情報通信端末５００を操作している時に表示される。
【０１０３】
図８は、メニュー画面から入居者の選択画面への遷移を表わす図である。状態Ａにおいて、モニター３５は、メニュー画面８１０を表示している。メニュー画面８１０は、複数のケア項目の各々の項目を表示する領域８１１と、その他の処理項目の選択を受け付ける領域８１２とを含む。領域８１２は、入居者の選択を受け付けるアイコン８１３、設定の内容を確認するためのアイコン等を含む。状態Ａにおいて、情報通信端末５００の使用者がアイコン８１３を選択すると、情報通信端末５００のモニター３５は、状態Ａから状態Ｂに切り替わる。
【０１０４】
状態Ｂにおいて、モニター３５は、入居者の選択を受け付ける画面８２０を表示する。画面８２０は、入居者の選択モードとして、全ての入居者、全ての「お気に入り」の入居者、個別に入居者を選択、各モードを含む。本実施の形態において「お気に入り」とは、例えば、介護者毎に優先的にケアすべき入居者として選択された入居者をいう。ある入居者が「お気に入り」であるか否かは、例えば、記号８２２が入居者に付されているか否かに基づいて行なわれる。ある局面において、介護者が領域８２１にチェック印を付すと、「お気に入り」とされた全ての入居者が選択される。別の局面において、領域８２３に示されるように、介護者が３名の入居者を選択するチェック印を付すと、チェック印が付された入居者が選択される。
【０１０５】
入居者の選択が完了すると、情報通信端末５００は、ケア項目の選択を受け付け可能になる。例えば、モニター３５は、領域８１１に表示されていた１つ以上のアイコンを選択可能な態様で表示する。例えば、介護者がアイコン８２４を押下すると、情報通信端末５００は、食事に関する情報の入力を受け付ける画面をモニター３５に表示する。
【０１０６】
図９は、食事の入力を受け付ける画面を表わす図である。状態Ａにおいて、情報通信端末５００は、画面９１０をモニター３５に表示する。画面９１０は、入力モードの選択を受け付ける領域９２０と、食事に関する情報の入力を受け付ける領域と、選択されている入居者を表示する領域９３０とを含む。領域９２０は、「連続入力」モードの選択を受け付ける領域９２１と、「一括入力」モードの選択を受け付ける領域９２２とを含む。領域９２１の表示態様は、領域９２２の表示態様とは異なり強調して表示される。強調した表示は、輪郭の強調、色彩の強調、文字の強調などを含む。領域９２１の表示態様は、当該領域で特定される入力モード（「連続入力」）が有効であることを示す。
【０１０７】
状態Ａとして「連続入力」モードが選択されている場合、介護者は、領域９２２を押下することにより、「一括入力」モードを選択することができる。情報通信端末５００は、状態Ｂに切り替わり、モニター３５は、画面９５０を表示する。画面９５０は、領域９６０を含む。領域９６０は、選択されている入居者の数を件数として表示する。
【０１０８】
図１０は、ケア項目の送信が完了したことを表わす図である。状態Ａとして、モニター３５は、画面１０１０を表示する。画面１０１０は、「連続入力」モードにおいて、選択された一人以上の入居者のうち、入居者（Ａ）について、ケア項目の送信が完了したことを表示する。入居者（Ａ）についてのケア項目の送信が完了すると、情報通信端末５００は、モニター３５に、領域１０２１を表示する。領域１０２１は、次の送信対象者である入居者（Ｂ）を表示し、二つの○を表示する。このような表示により、介護者は、送信対象の入居者の数が２名に減ったことを認識することができる。
【０１０９】
状態Ｂとして、モニター３５は、画面１０３０を表示する。画面１０３０に示されるように、「一括入力」モードが選択されている場合において選択されている２名の入居者について、情報通信端末５００がケア項目の送信を完了すると、モニター３５は、その旨を示す領域１０４０を表示する。
【０１１０】
以上のようにして、本実施の形態によれば、介護者は、複数の入居者の各々について、各ケア項目を一括して管理サーバー２００に送信することができるので、データの登録の負担が軽減され得る。
【０１１１】
以上開示された技術的特徴は、例えば、以下のように要約され得る。
ある局面において、情報通信端末５００のＣＰＵ２０は、複数の入居者の識別情報をモニター３５に表示する。ＣＰＵ２０は、情報の記録の対象となる複数の入居者の選択を受け付ける。ＣＰＵ２０は、選択された複数の入居者の各々に関連付けて記録される１つ以上の項目の選択の入力を受け付ける。ＣＰＵ２０は、選択された１つ以上の項目の登録モードとして、選択された複数の入居者の各々について個別に登録する第１のモードと、選択された複数の入居者について一括して登録する第２のモードとのいずれかの選択を受け付ける。ＣＰＵ２０は、選択されたモードで、選択された１つ以上の項目を情報記録装置（例えば、クラウドサーバー１５０）に送信する。
【０１１２】
ある局面において、ＣＰＵ２０は、複数の入居者のいずれかが他の入居者よりも優先して扱われることを示す優先度（例えば、お気に入りであることを示す表示）を、当該入居者に関連付けて、モニター３５に表示する。ＣＰＵ２０は、優先度が付された一人以上の入居者の選択を受け付ける。
【０１１３】
ある局面において、ＣＰＵ２０は、第１のモードが選択されている場合に、選択された複数の入居者のうちの、１つ以上の項目の入力が行なわれている入居者をモニター３５に表示する。
【０１１４】
ある局面において、ＣＰＵ２０は、１つ以上の項目が情報記録装置に送信された後に、当該１つ以上の項目の送信が完了した入居者の名前をモニター３５に表示する。
【０１１５】
ある局面において、ＣＰＵ２０は、第１のモードが選択されている場合に、選択された複数の入居者の数に応じた画像（例えば、○その他の図形）をモニター３５に表示する。
【０１１６】
ある局面において、ＣＰＵ２０は、１つ以上の項目が情報記録装置に送信された後に、選択された複数の入居者の数に応じた画像を１つ減らしてモニター３５に表示する。
【０１１７】
ある局面において、ＣＰＵ２０は、第２のモードが選択されている場合に、選択された複数の入居者の数をモニター３５に表示する。
【０１１８】
ある局面において、ＣＰＵ２０は、第２のモードが選択されている場合に、訂正の対象となる項目の選択を受け付けて、選択された項目についてデータの入力を受け付ける。
【０１１９】
ある実施の形態に従うと、ＣＰＵ２０は、情報通信端末５００に格納されているプログラムを実行することにより、上記の処理を実現する。別の局面において、情報通信端末５００は、各処理を実行するように構成された回路素子その他のハードウェアの組み合わせによって実現されてもよい。
【０１２０】
以上のようにして、本実施の形態によれば、介護者が複数の入居者の各々について複数のケア項目を情報通信端末５００に入力する場合に、入力の効率が向上するので、当該入力の負担が軽減され得る。
【０１２１】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【符号の説明】
【０１２２】
２  マウス、３  キーボード、４，２８，１０３，２２３  ＲＡＭ、５  ハードディスク、６  光ディスク駆動装置、７，３７，１０４，２２４  通信インターフェイス、８  モニター、９，２９，１０２，２２２  ＲＯＭ、２３，３９  アンテナ、２４  通信装置、２５  入力スイッチ、２６，１０５  カメラ、２７  フラッシュメモリ、３０  メモリカード駆動装置、３１  メモリカード、３２  マイク、３３  スピーカー、３４  音声信号処理回路、３５  モニター、３８  バイブレーター、４０  ＧＰＳモジュール、４１  加速度センサー、４２  地磁気センサー、１００  システム、１０１，２２１  制御装置、１０６  ドップラーセンサー、１０７  無線通信装置、１０８，２２８  記憶装置、１１０，１２０  居室、１１１，１２１  入居者、１１２  タンス、１１３  ベッド、１１４  トイレ、１１５，２４０  ケアコール子機、１１６  トイレセンサー、１１７  センサー、１１８  ドアセンサー、１１９  センサーボックス、１３０  管理センター、１４０  アクセスポイント、１４１，１４２，４４０  介護者、１４３，１４４，４４１  携帯端末、１５０  クラウドサーバー、１８０  居室領域、１９０  ネットワーク、２００  管理サーバー、２２６  ディスプレイ、２２９  入力デバイス、２４１  ケアコールボタン、２９０  バイタルセンサー、３００  コンピューターシステム、４１０  範囲、５００  情報通信端末、６１０  入力部、６２０  入居者選択部、６３０  入力モード選択部、６４０  １次記憶部、６５０  表示部、６６０  送信データ生成部、６７０  出力部、８１０  メニュー画面。
【図１】
2020137057.tif 000003
【図２】
2020137057.tif 000004
【図３】
2020137057.tif 000005
【図４】
2020137057.tif 000006
【図５】
2020137057.tif 000007
【図６】
2020137057.tif 000008
【図７】
2020137057.tif 000009
【図８】
2020137057.tif 000010
【図９】
2020137057.tif 000011
【図１０】
2020137057.tif 000012
【国際調査報告】
2020137057.tif 000013
2020137057.tif 000014
2020137057.tif 000015